(57)【要約】【課題】人体の脚部を周囲から包み込むようにして加熱エアーマッサージが効果的にできる。【解決手段】人体Ａの脚部Ｂの両側に接触する対となった空気袋１と、対となった空気袋１をエアーの供給と排出によって膨張収縮させるエアーポンプ２とを備えたマッサージ機３である。対となった空気袋１に供給するエアーを加熱する加熱部４を設ける。【選択図】        図１
2004201838.tif 000002
【特許請求の範囲】
【請求項１】
人体の脚部の両側に接触する対となった空気袋と、対となった空気袋をエアーの供給と排出によって膨張収縮させるエアーポンプとを備えたマッサージ機において、対となった空気袋に供給するエアーを加熱する加熱部を設けて成ることを特徴とするエアー加熱装置を備えたマッサージ機。
【請求項２】
加熱部を空気袋とエアポンプとの間に設けることを特徴とする請求項１記載のエアー加熱装置を備えたマッサージ機。
【請求項３】
空気袋のエアー排出先にエアー貯蔵タンクを有すると共にエアー貯蔵タンクとエアーポンプとを接続して成ることを特徴とする請求項１又は請求項２記載のエアー加熱装置を備えたマッサージ機。
【請求項４】
エアーポンプにエアー貯蔵タンクからの配管及び外気からの配管をバルブを介して接続して成ることを特徴とする請求項３記載のエアー加熱装置を備えたマッサージ機。
【請求項５】
温度センサを空気袋の人体の脚部に当接する面に設け、センサの値が設定された上限値以下且つ設定された下限値以上となるように加熱部を制御する制御部を設けて成ることを特徴とする請求項１記載のエアー加熱装置を備えたマッサージ機。
【請求項６】
空気袋の人体の脚部に当接する面を除いた部分を断熱材により覆って成ることを特徴とする請求項１記載のエアー加熱装置を備えたマッサージ機。
【請求項７】
加熱部のオン、オフにより人体を温める動作と冷やす動作を交互に繰り返すように制御する制御部を設けて成ることを特徴とする請求項１記載のエアー加熱装置を備えたマッサージ機。
【請求項８】
加熱部としてペルチェ素子からなる熱交換器を用い、あらかじめ熱交換器により得られた温風及び冷風を各々貯蔵するタンクを設けて成ることを特徴とする請求項１記載のエアー加熱装置を備えたマッサージ機。
【発明の詳細な説明】
【０００１】
【発明の属する技術分野】
本発明は、エアーの供給と排出とによって膨張収縮する空気袋で人体の脚部を圧迫してマッサージをする手段を備えたマッサージ機に関するものである。
【０００２】
【従来の技術】
従来から空気袋の空気圧を変化させることで空気袋を膨張収縮させて人体に刺激を与える空気袋を備えた椅子式のエアーマッサージ装置において、空気袋に供給する経路内に加熱装置を設け、空気袋に加熱空気を供給し、加熱刺激によるエアーマッサージを行うようにするものが知られている。（例えば特許文献１参照）
上記特許文献１に示された従来例は、椅子の背もたれ部、臀部、足部にそれぞれ椅子の幅方向に長い略楕円円筒状の空気袋を椅子の長手方向に並設している。特に、足部においても幅方向に長い空気袋を並設しているだけであるので、椅子に座った人が足部に人体の脚部を載せて上記空気袋によりエアーマッサージする場合、人体の脚部の背面部のみを加熱された空気の供給による空気袋の膨縮で加熱エアーマッサージするようにしかなっていない。
【０００３】
ところが、この従来例にあっては、人体の脚部の背面部のみが加熱エアーマッサージされるのみなので、脚部のエアーマッサージする部分を含む側面部や前面部付近は加熱されない。ところが、加熱することで血流良くするに当たっては脚部を周囲から加熱することが効果的であるが、上記従来例においては、脚部を包み込むようにして脚部を周囲から加熱しながらエアーマッサージすることができず、加熱によるエアーマッサージ効果が十分に発揮できないという問題があった。
【０００４】
また、寝具にエアーマッサージ機能を備えたものにおいてエアーマッサージをするための空気袋に温風を供給するようにしたものも知られている。（例えば、特許文献２、特許文献３参照）
この特許文献２や特許文献３に示す寝具においても、人が寝具に寝た場合、人の脚部は背面部のみが加熱されるだけであり、このため、このものにおいても加熱によるエアーマッサージ効果が十分に発揮できないという問題があった。
【０００５】
また、上記いずれの従来例にあっても、空気袋から排出されたエアーを貯蔵するエアー貯蔵タンクなどなく、エアー貯蔵タンクに貯蔵した高温の空気を空気袋に供給する空気として有効に再利用するということなどなされておらず、熱の再利用という点で問題があり、エネルギーコストが高くなるという問題があった。
【０００６】
【特許文献１】
特開２００１−１２０６１８号公報
【特許文献２】
特開平７−２０４２４４号公報
【特許文献２】
特開平１０−１１８１４５号公報
【０００７】
【発明が解決しようとする課題】
本発明は上記の点に鑑みてなされたものであり、人体の脚部を周囲から包み込むようにして加熱エアーマッサージが効果的にでき、また、空気袋から排出された高温の空気の熱を有効に再利用できるエアー加熱装置を備えたマッサージ機を提供することを課題とするものである。
【０００８】
【課題を解決するための手段】
上記課題を解決するために本発明に係るエアー加熱装置を備えたマッサージ機は、人体Ａの脚部Ｂの両側に接触する対となった空気袋１と、対となった空気袋１をエアーの供給と排出によって膨張収縮させるエアーポンプ２とを備えたマッサージ機３において、対となった空気袋１に供給するエアーを加熱する加熱部４を設けて成ることを特徴とするものである。このような構成とすることで、対となった空気袋１間に人体Ａの脚部（片足）Ｂを位置させ、加熱部４で加熱したエアーを対となった空気袋１に供給して膨張させ、人体Ａの脚部Ｂを両側から膨張した空気袋１で圧迫して両側からエアーマッサージするのであるが、この場合、脚部Ｂが加熱エアーにより加熱された両側の空気袋１で包み込むまれるようになってエアーマッサージされる脚部の部位が周囲から加熱され、エアーマッサージされる脚部の部位の血行の流れを良くしながらエアーマッサージできるものである。
【０００９】
また、加熱部４を空気袋１とエアポンプ２との間に設けることが好ましい。このような構成とすることで、加熱されたエアーがエアーポンプ２を直接経由せず、空気袋１に供給され、エアーポンプ２の駆動部に熱の影響を与えることがないものである。
【００１０】
また、空気袋１のエアー排出先にエアー貯蔵タンク５を有すると共にエアー貯蔵タンク５とエアーポンプ２とを接続することが好ましい。このような構成とすることで、空気袋１から排出された比較的高温のエアーがエアー貯蔵タンク５に貯蔵され、このエアー貯蔵タンク５に貯蔵された比較的高温のエアーを再び加熱部４で加熱して空気袋１に供給することができ、この場合、加熱部４におけるエアーの加熱に当たって短時間で所定温度まで上昇させることができるものである。
【００１１】
また、エアーポンプ２にエアー貯蔵タンク５からの配管６ａ及び外気からの配管６ｂをバルブ７を介して接続することが好ましい。このような構成とすることで、エアーポンプ２から供給する空気としてエアー貯蔵タンク５に貯蔵された温度の高いエアーと温度の低い外気とを選択することができ、例えば、脚部Ｂを加熱エアーマッサージするときにはエアー貯蔵タンク５から比較的高温のエアーをエアーポンプ２に取り込み、脚部Ｂを冷却エアーマッサージするときには外気をエアーポンプ２に取り込むというように異なる温度でのエアーマッサージが簡単に選択できるものである。
【００１２】
また、温度センサ８を空気袋１の人体Ａの脚部Ｂに当接する面に設け、温度センサ８の値が設定された上限値以下且つ設定された下限値以上となるように加熱部４を制御する制御部９を設けることが好ましい。このような構成とすることで、エアーマッサージする部位における人体Ａの脚部Ｂの実体の温度を計測して、脚部Ｂの実体温度を正確に目的の温度となるように設定して効果的に加熱エアーマッサージできるものである。
【００１３】
また、空気袋１の人体Ａの脚部Ｂに当接する面を除いた部分を断熱材１０により覆うことが好ましい。このような構成とすることで、外部に熱が逃げないようにできるものである。
【００１４】
また、加熱部４のオン、オフにより人体Ａを温める動作と冷やす動作を交互に繰り返すように制御する制御部を設けることが好ましい。このような構成とすることで、エアーマッサージしようとする脚部のマッサージ部位の筋肉の緊張が解け、血行がよくなるものである。
【００１５】
また、加熱部４としてペルチェ素子からなる熱交換器１１を用い、あらかじめ熱交換器１１により得られた温風及び冷風を各々貯蔵するタンク１２、１３を設けることが好ましい。このように熱交換器１１としてペルチェ素子の一側面に吸熱側熱交換部、他側面に放熱側熱交換部を各々配設したものを採用することで、あらかじめ温められたエアー及び冷やされたエアーをそれぞれタンク１２、１３に貯蔵し、温風、冷風を瞬時に切り換えることができるものである。また、熱交換器１１自体は一つで温冷の２つの機能をもっている。
【００１６】
【発明の実施の形態】
以下、本発明を添付図面に示す実施形態に基づいて説明する。
【００１７】
図１にはマッサージ機３の一実施形態が示してある。図１に示す実施形態のマッサージ機３は椅子型のマッサージ機３で椅子型体１４に背もたれ部１５、背もたれ部１５の下部に連結された座部１６、座部１６の前端部に連結された脚部マッサージ部１７を支持し、更に上記背もたれ部１５の上端に延設された頭当接部１８を設けて構成してある。上記背もたれ部１５、座部１６、脚部マッサージ部１７、頭当接部１８は各々自在に角度を調節できるように連結してある。
【００１８】
背もたれ部１５には揉み動作や叩き動作を行うためのマッサージ機構部１９が内蔵してあって、人体Ａの背中Ｃを揉んだり、叩いたりして背中Ｃのこりをほぐして疲労回復させるようになっており、駆動源２０、揉み玉２１が背もたれ部１５の裏側に沿って縦方向、横方向及び前後方向に移動することで人体Ａの背中Ｃに揉みや叩きマッサージを行うようになっている。
【００１９】
脚部マッサージ部１７は図２に示すように上面部に前後方向を向く両側壁用フレーム部２２、中央壁用フレーム部２３が略平行に突設してあり、中央壁用フレーム部２３の両側と両側壁用フレーム部２２との間にそれぞれ前後及び上方に開口した脚部入れ用凹部２４が形成してある。つまり、座部１６に座った人の両脚部Ｂをそれぞれ片足ずつ両脚部入れ用凹部２４に入れて支持することができるようになっている。
【００２０】
各脚部入れ用凹部２４の両側面にはそれぞれ左右に対向するように空気袋１が設けてある。この空気袋１には配管２５を介してエアーポンプ２が接続してあり、エアーポンプ２による空気袋１へのエアーの供給で空気袋１を膨張することで、脚部入れ凹部２４の両側に設けた対となった空気袋１が脚部入れ凹部２４に入れた人体Ａの脚部Ｂ（片足）を両側から包みこむようにして圧迫し、また、空気袋１に接続した排気用の配管２６に設けたバルブ２７を開いて空気袋１の加圧空気を排気することで脚部Ｂを両側から圧迫していた対となった空気袋１を収縮し、このように対となった空気袋１を膨張、収縮することで、人体Ａの脚部Ｂを両側からエアマッサージするようになっている。
【００２１】
空気袋１とエアーポンプ２とを接続する配管２５の途中には加熱部４が設けてあり、エアーポンプ２から供給されるエアーを加熱部４で加熱して加熱されたエアーが空気袋１に供給されるようになっている。
【００２２】
図２において符号２８はエアーポンプ２にエアー（本実施形態では外気）を取り入れるための配管である。
【００２３】
しかして、本発明においては、座部１６に座った人の両脚部Ｂをそれぞれ片足ずる両脚部入れ用凹部２４に入れ、前述のように両脚部Ｂをそれぞれ対となった空気袋１によりエアーマッサージを行うのであるが、加熱部４でエアーポンプ２から供給されるエアーを加熱することで、脚部Ｂの両側に当接する対となった空気袋１に加熱されたエアーが供給されることになり、これにより脚部Ｂが加熱エアーにより加熱された両側の対となった空気袋１で包み込むまれるようになってエアーマッサージされる脚部の部位が対となった空気袋１により周囲から加熱され、エアーマッサージされる脚部の部位の血行の流れを良くしながらエアーマッサージできることになる。
【００２４】
この場合、図２に示すように、加熱部４を空気袋１とエアポンプ２との間に設けることで、加熱部４で加熱されたエアーがエアーポンプ２を直接経由せずに空気袋１に供給され、エアーポンプ２の駆動部に加熱部４で加熱されたエアーの熱の影響を与えることがなく、したがって、熱のロスがないのみならず、エアーポンプ２の寿命を長くすることができるものである。
【００２５】
次に、本発明の他の実施形態を説明する。本実施形態においては、空気袋１から排気された比較的高温のエアーを循環させて利用できるように、空気袋１のエアー排出先にエアー貯蔵タンク５を有すると共にエアー貯蔵タンク５とエアーポンプ２とを接続してある。
【００２６】
すなわち、図３に示すように、エアー貯蔵タンク５に空気袋１のエアーを排気するためのバルブ２７を設けた排気用の配管２６の端部とエアーポンプ２にエアーを取り入れるための配管２８の端部とを接続してあって、エアーポンプ２→加熱部４を備えた配管２５→空気袋１→バルブ２７を備えた排気用の配管２６→エアー貯蔵タンク５→エアーを取り入れるための配管２８→エアーポンプ２というエアーの循環流路を形成してある。なお、図３においては図示を省略しているがエアー貯蔵タンク５にはエアー貯蔵タンク５が負圧になると開いて外部とエアー貯蔵タンク５内とを連通させるためのバルブが設けてある。
【００２７】
しかして、エアーポンプ２から供給されるエアーを加熱部４で加熱し、この加熱したエアーを対となった空気袋１に供給して対となった空気袋１を膨張させることで、対となった空気袋１により両側から脚部Ｂを包み込むようにして加熱圧迫し、次に、制御部からの信号によりエアーポンプ２を停止すると共にバルブ２７を制御部からの信号で開くことで対となった空気袋１から比較的高温エアー（つまり、脚部Ｂを加熱することで空気袋１に供給された時点よりも少し温度が低下した比較的高温のエアー）をエアー貯蔵タンク５に溜める。次に、制御部からの信号によりエアーポンプ２を運転すると共にバルブ２７を制御部からの信号で閉とする。すると、エアーポンプ２の運転によりエアー貯蔵タンク５内が負圧になるので、エアー貯蔵タンク５に設けたバルブが開き、エアー貯蔵タンク５内に貯蔵されている比較的高温度のエアーがエアーポンプ２に取り入れられ、エアーポンプ２から供給されるエアーを加熱部４で加熱し、加熱された高温のエアーを脚部Ｂの両側に当接する対となった空気袋１に供給して膨張させ、脚部Ｂを加熱エアーにより加熱された両側の対となった空気袋１で包み込むようにして周囲から加熱しながら両側からエアーマッサージを行うものである。これにより空気袋１から排気される比較的高温のエアーがエアー貯蔵タンク５に貯蔵され、このエアー貯蔵タンク５に貯蔵された比較的高温のエアーを再び加熱部４で加熱して空気袋１に供給することができるものであ。したがって、加熱部４におけるエアーの加熱に当たって短時間で所定温度まで上昇させることができ、熱エネルギーを無駄なく再利用できるものである。
【００２８】
次に、図４に基づいて本発明の更に他の実施形態につき説明する。本実施形態においては基本的な構成は前述の図３に示す実施形態と同様であるので同じ構成については説明を省略するが、本実施形態においては、エアーポンプ２にエアー貯蔵タンク５からの配管６ａ及び外気からの配管６ｂをバルブ７を介して接続したことに特徴がある。
【００２９】
すなわち、図４に示すように、エアーポンプ２にエアーを取り入れるための配管２８に流路切り換え用のバルブ７を設け、このバルブ７とエアー貯蔵タンク５とを配管６ａにより接続し、また、バルブ７に外気取り入れ用の配管６ｂを接続してある。このように、本実施形態ではエアーポンプ２にエアー貯蔵タンク５からの配管６ａ及び外気からの配管６ｂをバルブ７を介して接続してある。
【００３０】
脚部Ｂを加熱エアーマッサージをする時は、バルブ７を切り換え制御してエアー貯蔵タンク５からエアーポンプ２に比較的高温のエアーを取り入れ、更に、加熱部４で目的とする温度まで加熱して対となった空気袋１に加熱エアーを供給して対となった空気袋１を膨張させて脚部Ｂの両側から圧迫して加熱エアーにより加熱された両側の対となった空気袋１で包み込むようにして周囲から加熱しながら両側から圧迫して加熱エアーマッサージを行う。一方、脚部Ｂを冷却エアーマッサージする時には、バルブ７を切り換え制御して配管６ｂからエアーポンプ２に外気を取り入れ、加熱部４で加熱することなく、対となった空気袋１に冷たい外気を供給して対となった空気袋１を膨張させて脚部Ｂの両側から圧迫して外気により冷却された両側の対となった空気袋１で包み込むようにして周囲から冷却しながら両側から圧迫して冷却エアーマッサージを行う。
【００３１】
これにより脚部Ｂに加熱エアーマッサージや冷却エアーマッサージを切り換えて行うことができ、短時間で脚部Ｂを冷温作用させることで、リラックスした状態で高いマッサージ効果を得ることができて、疲労回復が有効となるものである。
【００３２】
次に、図５に基づいて本発明の更に他の実施形態につき説明する。本実施形態においては空気袋１の人体Ａの脚部Ｂに当接する面に温度センサ８が設けてある。温度センサ８で検出した温度情報が制御部９に送信され、制御部９において温度センサ８で測定した値が設定された上限値以下且つ設定された下限値以上となるように加熱部４を制御する。これによりエアーマッサージする部位における人体Ａの脚部Ｂの実体の温度を計測して、正確に脚部Ｂの実体温度が目的の温度となるように設定をして効果的に加熱エアーマッサージできるものである。
【００３３】
次に、図６に基づいて本発明の他の実施形態を説明する。本実施形態においては、空気袋１の人体Ａに当接する面を除いた部分を断熱材１０により覆っている。図６（ａ）においては脚部マッサージ部１７の底面部及び両側部に断熱材１０を設け、これにより空気袋１の脚部Ｂに当接する面でない部分の一部又は全部が直接または間接的に断熱材１０により覆われて外側に熱が逃げないようにできるものである。なお、図６（ｂ）のように空気袋１の脚部Ｂに当接する面でない部分の全部を断熱材１０で覆ってもよい。
【００３４】
次に、本発明の更に他の実施形態を説明する。本実施形態においては、加熱部４をオンして高温のエアーを空気袋１に供給して人体Ａの脚部Ｂを温める動作と、加熱部４をオフした状態でエアーを空気袋１に供給して人体Ａの脚部Ｂを冷やす動作とを交互に繰り返すように制御部により制御するようにしている。図７にはその制御の一例が示してあり、空気袋１内のエアー圧力が高い時には加熱部４をオンにして脚部Ｂを温め、また、空気袋１内のエアー圧力が弱めようとするときは加熱部４をオフにして温度を下げるものである。このように、加熱部４のオン、オフで脚部Ｂを温める動作と冷やす動作とを交互に行いながらエアーマッサージするので、人体Ａの脚部Ｂのエアーマッサージされる部位の筋肉の緊張が解け、血行がよくなり、マッサージ効果が増大するものである。
【００３５】
次に、本発明の更に他の実施形態につき説明する。本実施形態においては、加熱部４としてペルチェ素子からなる熱交換器１１を用いてあり、この熱交換器１１により得られた温風及び冷風を各々貯蔵するタンク１２、１３を設けてある。
【００３６】
すなわち、図８に示すように、エアーポンプ２にエアーを取り入れるための配管２８に上流側から順にペルチェ素子からなる熱交換器１１、タンク１２及び１３、制御バルブ３０を配設してある。上記配管２８は熱交換器１１とタンク１２、１３とを接続する部分においては熱交換器１１の放熱側熱交換部１１ａと高温エアー貯蔵用のタンク１２とを接続する配管２８ａと、熱交換器１１の吸熱側熱交換部１１ｂと低温エアー貯蔵用のタンク１３とを接続する配管２８ｂの２つに分かれており、また、タンク１２、１３と制御バルブ３０とを接続する部分においては高温エアー貯蔵用のタンク１２と制御バルブ３０とを接続する配管２８ｃと、低温エアー貯蔵用のタンク１３と制御バルブ３０とを接続する配管２８ｄの２つに分かれている。このように熱交換器１１としてペルチェ素子の一側面に吸熱側熱交換部１１ｂ、他側面に放熱側熱交換部１１ａを各々配設したものを採用することで、あらかじめ温められたエアー及び冷やされたエアーをそれぞれタンク１２、１３に貯蔵し、温風、冷風を瞬時に切り換えることができるものである。また、熱交換器１１自体は一つで温冷の２つの機能をもっているので、軽量、コンパクト、低コストという利点がある。
【００３７】
【発明の効果】
上記のように本発明の請求項１記載の発明にあっては、人体の脚部の両側に接触する対となった空気袋と、対となった空気袋をエアーの供給と排出によって膨張収縮させるエアーポンプとを備えたマッサージ機において、対となった空気袋に供給するエアーを加熱する加熱部を設けてあるので、対となった空気袋間に人体の脚部を位置させ、加熱部で加熱したエアーを対となった空気袋に供給して膨張させて人体の脚部を両側からエアーマッサージするだけでなく、脚部が加熱エアーにより加熱された両側の空気袋で包み込むまれるようになってエアーマッサージされる脚部の部位が周囲から加熱され、エアーマッサージされる脚部の部位の血行の流れを良くしながらエアーマッサージでき、脚部に対する加熱によるエアーマッサージがマッサージ部位を周囲から加熱しながら効果的に行えて、脚部の疲労回復効果が有効に発揮できるものである。
【００３８】
また、請求項２記載の発明にあっては、上記請求項１記載の発明の効果に加えて、加熱部を空気袋とエアポンプとの間に設けてあるので、加熱されたエアーがエアーポンプを直接経由せず、空気袋に供給され、エアーポンプの駆動部に熱の影響を与えることなく、安定して加熱エアーマッサージが行えるものであり、エアーポンプの寿命も長くなるものである。
【００３９】
また、請求項３記載の発明にあっては、上記請求項１又は請求項２記載の発明の効果に加えて、空気袋のエアー排出先にエアー貯蔵タンクを有すると共にエアー貯蔵タンクとエアーポンプとを接続してあるので、空気袋から排出された比較的高温のエアーがエアー貯蔵タンクに貯蔵され、このエアー貯蔵タンクに貯蔵された比較的高温のエアーを再び加熱部で加熱して空気袋に供給することができ、この場合、加熱部におけるエアーの加熱に当たって短時間で所定温度まで上昇させることができ、熱エネルギーの効果的な再利用ができると共に加熱部の能力も小さくてもよいものである。
【００４０】
また、請求項４記載の発明にあっては、上記請求項３記載の発明の効果に加えて、エアーポンプにエアー貯蔵タンクからの配管及び外気からの配管をバルブを介して接続してあるので、エアーポンプから供給する空気としてエアー貯蔵タンクに貯蔵された温度の高いエアーと温度の低い外気とを選択することができ、例えば、脚部を加熱エアーマッサージするときにはエアー貯蔵タンクから比較的高音のエアーをエアーポンプに取り込み、脚部を冷却エアーマッサージするときには外気をエアーポンプに取り込むというように異なる温度でのエアーマッサージが簡単に選択でき、簡単な構成で加熱エアーマッサージと冷却エアーマッサージを選択して行って脚部に対するエアーマッサージ効果をより高めることができるものである。
【００４１】
また、請求項５記載の発明にあっては、上記請求項１記載の発明の効果に加えて、温度センサを空気袋の人体の脚部に当接する面に設け、センサの値が設定された上限値以下且つ設定された下限値以上となるように加熱部を制御する制御部を設けてあるので、エアーマッサージする部位における人体の脚部の実体の温度を計測して、目的とする脚部の実体温度を正確に目的の温度となるように設定して効果的に加熱エアーマッサージできるものである。
【００４２】
また、請求項６記載の発明にあっては、上記請求項１記載の発明の効果に加えて、空気袋の人体の脚部に当接する面を除いた部分を断熱材により覆ってあるので、外部に熱が逃げず、効果的に脚部を包み込むようにして加熱エアーマッサージできるものである。
【００４３】
また、請求項７記載の発明にあっては、上記請求項１記載の発明の効果に加えて、加熱部のオン、オフにより人体を温める動作と冷やす動作を交互に繰り返すように制御する制御部を設けるので、脚部を包み込んで加熱しながらエアーマッサージする加熱エアーマッサージと脚部の冷却とを交互に繰り返して脚部のマッサージ部位の筋肉の緊張を解いて血行を良くしより効果的に脚部のエアーマッサージができるものである。
【００４４】
また、請求項８記載の発明にあっては、上記請求項１記載の発明の効果に加えて、加熱部としてペルチェ素子からなる熱交換器を用い、あらかじめ熱交換器により得られた温風及び冷風を各々貯蔵するタンクを設けてあるので、つまり、熱交換器としてペルチェ素子の一側面に吸熱側熱交換部、他側面に放熱側熱交換部を各々配設したものを採用することで、あらかじめ温められたエアー及び冷やされたエアーをそれぞれタンクに貯蔵し、温風、冷風を瞬時に切り換えることができ、また、熱交換器自体は一つで温冷の２つの機能をもっているので、軽量化、コンパクト化、低コスト化が図れるものである。
【図面の簡単な説明】
【図１】本発明の全体説明図である。
【図２】同上のエアー加熱装置を備えたマッサージ機の要部説明図である。
【図３】同上の他の実施形態のエアー加熱装置を備えたマッサージ機の要部説明図である。
【図４】同上の更に他の実施形態のエアー加熱装置を備えたマッサージ機の要部説明図である。
【図５】同上の更に他の実施形態のエアー加熱装置を備えたマッサージ機の要部説明図である。
【図６】（ａ）エは同上の更に他の実施形態のエアー加熱装置を備えたマッサージ機の要部説明図であり、（ｂ）は更に他の断面図である。
【図７】同上の更に他の実施形態における加熱部のヒータの駆動と空気袋内のエアー圧力との関係を示すグラフである。
【図８】同上の更に他の実施形態のエアー加熱装置を備えたマッサージ機の要部説明図である。
【符号の説明】
１  空気袋
２  エアーポンプ
３  マッサージ機
４  加熱部
５  エアー貯蔵タンク
６ａ  配管
６ｂ  配管
７  バルブ
８  温度センサ
９  制御部
１０  断熱材
１１  熱交換器
１２  タンク
１３  タンク
【図１】
2004201838.tif 000003
【図２】
2004201838.tif 000004
【図３】
2004201838.tif 000005
【図４】
2004201838.tif 000006
【図５】
2004201838.tif 000007
【図６】
2004201838.tif 000008
【図７】
2004201838.tif 000009
【図８】
2004201838.tif 000010